(57)【要約】【課題】省電力化を図るとともに利便性を向上できる携帯機器を提供する。【解決手段】発光色の異なる複数の発光素子を有した発光部１７と、発光素子１７に電力を供給して発光部１７を点灯させる電池２７とを備え、複数の発光素子の発光によって発光部１７から出射される出射光により照明または報知を行う携帯機器１において、電池２７の残量が所定の第１残量よりも低下した際に視感度が最も高い発光素子のみを発光する。【選択図】図３
2014175836.tif 000002
【特許請求の範囲】
【請求項１】
発光色の異なる複数の発光素子を有した発光部と、前記発光素子に電力を供給して前記発光部を点灯させる電池とを備え、複数の前記発光素子の発光によって前記発光部から出射される出射光により照明または報知を行う携帯機器において、前記電池の残量が所定の第１残量よりも低下した際に視感度が最も高い発光色の前記発光素子のみを発光することを特徴とする携帯機器。
【請求項２】
前記電池の残量が第１残量よりも低い第２残量よりも低下した際に電力消費が最も低い前記発光素子のみを発光することを特徴とする請求項１に記載の携帯機器。
【請求項３】
複数の前記発光素子が青色光を発光する青色ＬＥＤと、緑色光を発光する緑色ＬＥＤと、赤色光を発光する赤色ＬＥＤとから成り、前記電池の残量が第１残量よりも低下した際に前記赤色ＬＥＤ及び前記青色ＬＥＤを消灯して前記緑色ＬＥＤの発光により緑色光を前記発光部から出射するとともに、前記電池の残量が第２残量よりも低下した際に前記緑色ＬＥＤ素子及び前記青色ＬＥＤ素子を消灯して前記赤色ＬＥＤ素子の発光により赤色光を前記発光部から出射することを特徴とする請求項２に記載の携帯機器。
【請求項４】
前記電池が第２残量よりも低い第３残量よりも低下した際に、前記赤色ＬＥＤの輝度を低下させたことを特徴とする請求項３に記載の携帯機器。
【請求項５】
前記出射光の色を変更する際に報知する表示手段を設けたことを特徴とする請求項１〜請求項４のいずれかに記載の携帯機器。
【発明の詳細な説明】
【技術分野】
【０００１】
本発明は、電池により点灯する発光部を有した携帯機器に関する。
【背景技術】
【０００２】
従来の携帯機器は特許文献１に開示される。この携帯機器は携帯電話機から成り、筐体上に表示部及びキー操作部が設けられる。筐体の周部にはＬＥＤ光源から成る複数の発光部が配される。筐体の内部には各部に電力を供給する電池が配されるとともに、通信回路が配される。
【０００３】
上記構成の携帯電話機において、キー操作部により入力操作が行われ、表示部に操作画面やアプリケーション画面が表示される。また、着信があると所定位置の発光部が点灯して使用者に対して着信の報知が行われる。
【先行技術文献】
【特許文献】
【０００４】
【特許文献１】特開２００３−２６９３８５号公報（第２頁〜第７頁、第２図）
【発明の概要】
【発明が解決しようとする課題】
【０００５】
携帯機器は電池により電力供給されるため、電池の残量が低下した緊急時に例えば表示部や発光部の輝度を低下させて電池の消耗が抑制される。しかしながら、発光部の輝度を低下させると視認性が悪くなるため使用者が報知に気づかない場合があり、携帯機器の利便性が低下する問題があった。また、キー操作部等を照明するＬＥＤ光源等の発光部を設けた場合も同様に、発光部の輝度を低下させるとキー操作部等の判別が困難となるため携帯機器の利便性が低下する問題がある。
【０００６】
本発明は、省電力化を図るとともに利便性を向上できる携帯機器を提供することを目的とする。
【課題を解決するための手段】
【０００７】
上記目的を達成するために本発明は、発光色の異なる複数の発光素子を有した発光部と、前記発光素子に電力を供給して前記発光部を点灯させる電池とを備え、複数の前記発光素子の発光によって前記発光部から出射される出射光により照明または報知を行う携帯機器において、前記電池の残量が所定の第１残量よりも低下した際に視感度が最も高い発光色の前記発光素子のみを発光することを特徴としている。
【発明の効果】
【０００８】
本発明によると、発光色の異なる複数の発光素子を有した発光部の出射光により照明や報知が行われ、電池の残量が第１残量よりも低下した際に視感度が最も高い発光色の発光素子のみを発光するので、複数の発光素子を発光させるよりも省電力化を図ることができる。また、視感度の高い光が出射されるため照明光や報知光の視認性の低下を防止し、携帯機器の利便性を向上することができる。
【図面の簡単な説明】
【０００９】
【図１】本発明の実施形態の携帯電話機を示す正面図
【図２】本発明の実施形態の携帯電話機の構成を示すブロック図
【図３】本発明の実施形態の携帯電話機の発光部の制御動作を示すフローチャート
【図４】光の波長と比視感度との関係を示す図
【発明を実施するための形態】
【００１０】
＜第１実施形態＞
以下に図面を参照して本発明の実施形態を説明する。図１は一実施形態の携帯電話機の正面図を示している。携帯電話機１は筐体２の前面にメインディスプレイ２１が配される。メインディスプレイ２１は液晶パネル等によりタッチパネルに形成される。
【００１１】
筐体２前面のメインディスプレイ２１の上方には音声を受話するスピーカ２５が配される。スピーカ２５の側方には着信時に点灯する発光部１６が配される。筐体２前面のメインディスプレイ２１の下方には所定の入力操作を行うキー操作部１４が配される。キー操作部１４は筐体２内に配される発光部１７によって照明される。
【００１２】
筐体２の背面には液晶パネル等により所定の報知情報を表示するサブディスプレイ２２（図２参照）や撮影を行うカメラ（不図示）が設けられる。筐体２の周面には音声を送話するマイク２４（図２参照）、外部接続用のコネクタ３７、３８（図２参照）、充電端子３５（図２参照）等が設けられる。
【００１３】
図２は携帯電話機１の構成を示すブロック図である。携帯電話機１はメイン制御部１０、通信制御部１１、センサ制御部１８、ＧＰＳ制御部１９、カメラ制御部２０、音制御部２３、電源制御部２６、ＳＩＭカード制御部２８、外部接続制御部３４を備えている。通信制御部１１、センサ制御部１８、ＧＰＳ制御部１９、カメラ制御部２０、音制御部２３、電源制御部２６、ＳＩＭカード制御部２８、外部接続制御部３４はメイン制御部１０に接続される。メイン制御部１０と、メイン制御部１０に接続される各制御部とによって分散して各部の制御が行われる。
【００１４】
メイン制御部１０はキー操作部１４、キー状態感知部１５、発光部１６、１７、メインディスプレイ２１、サブディスプレイ２２、内蔵メモリ２９が接続され、これらを制御する。キー状態感知部１５はキー操作部１４の操作状態を感知する。メインディスプレイ２１は前述したようにタッチパネルから成り、画像を表示する表示部２１ａ（図２参照）と入力操作を行うパネル操作部２１ｂ（図２参照）とを有している。
【００１５】
内蔵メモリ２９はプログラムメモリ３０、ユーザメモリ３１、アドレス帳３２、端末設定メモリ３３を有している。プログラムメモリ３０は携帯電話機１の動作プログラムを含む各アプリケーション、条件設定用プログラム、通信履歴を操作するプログラム、後述するＧＰＳとの通信に基づく位置情報取得のプログラム等を格納する。
【００１６】
ユーザメモリ３１は電子メールやカメラ画像等のデータが格納される。端末設定メモリ３３は動作プログラムの各設定情報が格納され、所定の設定情報は使用者によって書き換え可能になっている。
【００１７】
通信制御部１１は無線部１２及び有線部１３を介した通信を制御する。無線部１２にはＷｉＦｉ（登録商標）、Ｂｌｕｅｔｏｏｔｈ（登録商標）、ＧＰＳ、ＰＨＳ（登録商標）、キャリア網、Ｉｒ（赤外線通信）、ＲＦリーダ等が含まれる。有線部１３には後述するｍｉｃｒｏＵＳＢのコネクタ３７等を介して有線接続される光通信、電話回線、ＬＡＮ、Ｉｒ等が含まれる。
【００１８】
センサ制御部１８は筐体２の傾斜等を検知するセンサを制御する。ＧＰＳ制御部１９はＧＰＳの受信機を制御して測位する。カメラ制御部２０はカメラを制御する。音制御部２３は通話時にマイク２４及びスピーカ２５を制御する。
【００１９】
電源制御部２６は各部に電力を供給する電池２７の過充電監視等の制御を行うとともに、電池２７の残量を検知する。ＳＩＭカード制御部２８は筐体２内に収納されるＳＩＭカードに格納したデータの読出し等を行う。
【００２０】
外部接続制御部３４は外部電源認識部３４ａを有し、充電端子３５、外部メモリスロット３６、コネクタ３７、３８に接続される機器を制御する。充電端子３５は外部電源が接続され、外部電源認識部３４ａにより外部電源が認識されると電池２７の充電が行われる。外部メモリスロット３６は外部メモリが装着される。コネクタ３７はｍｉｃｒｏＵＳＢのケーブルを介して外部機器が接続される。コネクタ３８はＨＤＭＩ（登録商標）のケーブルを介して外部機器が接続される。
【００２１】
次に、発光部１６、１７の構成及び制御を詳述する。発光部１６、１７は青色光を発光する青色ＬＥＤ、緑色光を発光する緑色ＬＥＤ及び赤色光を発光する赤色ＬＥＤから成る発光色の異なる複数の発光素子を有している。各発光部１６、１７はこれらの発光素子をパッケージ化したＬＥＤ光源から成っている。各発光素子の発光によって通常状態で端末設定メモリ３３に格納された指定色の光を発光部１６、１７から出射する。
【００２２】
発光部１６から出射される報知光によって着信が報知され、発光部１７から出射される照明光によってキー操作部１４が照明される。尚、端末設定メモリ３３には発光部１６、１７の出射光の指定色が格納され、デフォルト状態で白色に設定される指定色をユーザ設定により所望の色に変更することができる。
【００２３】
図３は発光部１６、１７の制御動作を示すフローチャートである。携帯電話機１の電源が投入されるとプログラムメモリ３０から読み出した動作プログラムが起動して発光部１６、１７の制御が行われる。ステップ＃１１では端末設定メモリ３３から発光部１６、１７の発光色を含む設定情報が読み出される。ステップ＃１２では電池２７の残量が検知される。
【００２４】
ステップ＃１３では電池２７の残量が８０％以下になったか否かが判断される。電池２７の残量が８０％以下になった場合はステップ＃１５に移行し、８０％以下になっていない場合はステップ＃１４に移行する。ステップ＃１４では発光部１６、１７が青色ＬＥＤ、緑色ＬＥＤ及び赤色ＬＥＤの全部または一部の発光によって指定色で点灯し、指定色の出射光を出射する。そして、ステップ＃２２に移行する。尚、発光部１６は着信がない場合には消灯されている。
【００２５】
ステップ＃１５では電池２７の残量が５０％以下になったか否かが判断される。電池２７の残量が５０％以下になった場合はステップ＃１７に移行し、５０％以下になっていない場合はステップ＃１６に移行する。
【００２６】
ステップ＃１６では発光部１６、１７が青色ＬＥＤ及び赤色ＬＥＤを消灯して緑色ＬＥＤのみの発光によって緑色光を出射する。そして、ステップ＃２２に移行する。これにより、青色ＬＥＤ、緑色ＬＥＤ及び赤色ＬＥＤを発光した場合に比して発光部１６、１７の電力消費を低減することができる。このため、電池２７の消耗を抑制することができる。
【００２７】
図４は光の波長と比視感度との関係を示している。縦軸は比視感度（単位なし）であり、横軸は波長（単位：ｎｍ）である。尚、同図の上部に波長に基づく色を並記している。同図によると、青色よりも短波長の色、青色、赤色の光の視感度が低く、緑色、黄色、橙色の光の視感度が高い。このため、青色ＬＥＤ及び赤色ＬＥＤに比して視感度が最も高い発光色の緑色ＬＥＤのみを発光し、発光部１６の報知光や発光部１７の照明光の視認性低下を抑制することができる。
【００２８】
次に、ステップ＃１７では電池２７の残量が３０％以下になったか否かが判断される。電池２７の残量が３０％以下になった場合はステップ＃１９に移行し、３０％以下になっていない場合はステップ＃１８に移行する。
【００２９】
ステップ＃１８では発光部１６、１７が青色ＬＥＤ及び緑色ＬＥＤを消灯して赤色ＬＥＤのみの発光によって赤色光を出射する。そして、ステップ＃２２に移行する。青色ＬＥＤ及び緑色ＬＥＤに比して電力消費が最も小さい赤色ＬＥＤのみを発光し、発光部１６、１７の電力消費をより低減して電池２７の消耗を抑制することができる。
【００３０】
ステップ＃１９では電池２７の残量が１０％以下になったか否かが判断される。電池２７の残量が１０％以下になった場合はステップ＃２１に移行し、１０％以下になっていない場合はステップ＃２０に移行する。ステップ＃２０では赤色ＬＥＤの電力供給の減少によって輝度を低下させ、ステップ＃２２に移行する。これにより、発光部１６、１７の電力消費をより低減して電池２７の消耗を抑制することができる。
【００３１】
電池２７の残量が１０％以下になった場合はステップ＃２１で発光部１６、１７が消灯される。これにより、携帯電話機１の発光部１６、１７以外に供給される電力を確保することができる。
【００３２】
ステップ＃２２では発光部１６、１７の消灯または出射光の色や輝度の変更によって発光状態が変更されたか否かが判断される。発光部１６、１７の発光状態が変更されていない場合はステップ＃１２に移行する。発光部１６、１７の発光状態が変更された場合はステップ＃２３に移行する。
【００３３】
ステップ＃２３では発光状態が変更されたことをメインディスプレイ２１やサブディスプレイ２２の表示によって報知する。例えば、「電池残量が少なくなったため、照明の点灯色が変わります」等のメッセージがメインディスプレイ２１またはサブディスプレイ２２に表示される。これにより、使用者に対して故障による発光状態の変化でないことが注意喚起される。そして、ステップ＃１２に戻り、ステップ＃１２〜＃２３が繰り返し行われる。
【００３４】
また、充電によって電池２７の残量が増加すると、残量に基づいて発光部１６、１７の点灯や出射光の色または輝度の変更が行われる。
【００３５】
本実施形態によると、青色ＬＥＤ、緑色ＬＥＤ及び赤色ＬＥＤを有した発光部１６、１７の出射光により照明や報知が行われ、電池２７の残量が第１残量（本実施形態では８０％）よりも低下した際に視感度が最も高い発光色の緑色ＬＥＤのみを発光する。これにより、複数の発光素子を発光させるよりも省電力化を図ることができる。また、視感度の高い緑色光が出射されるため照明光や報知光の視認性の低下を防止し、携帯電話機１の利便性を向上することができる。
【００３６】
また、電池２７の残量が第２残量（本実施形態では５０％）よりも低下した際に電力消費が最も低い赤色ＬＥＤのみを発光するので、より省電力化を図ることができる。
【００３７】
また、電池２７の残量が第３残量（本実施形態では３０％）よりも低下した際に赤色ＬＥＤの輝度を低下させたので、より省電力化を図ることができる。
【００３８】
また、発光部１６、１７の出射光の色を変更した際にメインディスプレイ２１またはサブディスプレイ２２（表示手段）により報知するので、故障による変更でないことが使用者に注意喚起される。従って、携帯電話機１の利便性を向上することができる。
【００３９】
本実施形態において、発光部１６、１７は青色ＬＥＤ、緑色ＬＥＤ及び赤色ＬＥＤを備えているが、他の発光色の発光素子を備えていてもよい。即ち、発光部１６、１７が発光色の異なる複数の発光素子を有し、電池２７の残量が所定の第１残量よりも低下した際に視感度が最も高い発光色の発光素子のみを発光する。これにより、省電力化を図り、発光部１６、１７の出射光の視認性低下を防止することができる。更に、電池２７の残量が第１残量よりも低い第２残量よりも低下した際に電力消費が最も低い発光素子のみを発光することにより、省電力化をより図ることができる。
【００４０】
また、本実施形態は携帯電話機について説明しているが、電池により駆動される他の携帯機器において、本実施形態と同様の発光部を設けることにより同様の効果を得ることができる。例えば、デジタルカメラ、ビデオカメラ、携帯型オーディオ機器、電子辞書、電子書籍端末等の携帯機器に本実施形態と同様の発光部を設けることができる。
【産業上の利用可能性】
【００４１】
本発明によると、携帯電話機、デジタルカメラ、ビデオカメラ、携帯型オーディオ機器、電子辞書、電子書籍端末等の携帯機器に利用することができる。
【符号の説明】
【００４２】
１    携帯電話機
２    筐体
１０    制御部
１４    キー操作部
１６、１７  発光部
２１    メインディスプレイ
２２    サブディスプレイ
２４    マイク
２５    スピーカ
２７    電池
２９    内蔵メモリ
【図１】
2014175836.tif 000003
【図２】
2014175836.tif 000004
【図３】
2014175836.tif 000005
【図４】
2014175836.tif 000006